(57)【特許請求の範囲】
【請求項１】
移動局と通信を行う基地局において実施される方法であって、
前記移動局へ、複数の周期のなかから選択された周期であって複数の１０ｍｓの無線フレームから成る前記周期を含む信号を送信し、
前記周期に基づいて、５ｍｓから１ｍｓの間の連続するサブフレームにおいて発見信号を送信し、
前記発見信号は、プライマリ同期信号と、セカンダリ同期信号と、リファレンス信号受信品質（ＲＳＲＱ）とリファレンス信号受信電力（ＲＳＲＰ）の少なくとも一つを前記移動局において測定するための信号とからなる方法。
【請求項２】
請求項１記載の方法であって、リファレンス信号受信品質（ＲＳＲＱ）とリファレンス信号受信電力（ＲＳＲＰ）の少なくとも一つを前記移動局において測定するための前記信号に基づいた測定結果を受信する方法。
【請求項３】
請求項１または２記載の方法であって、前記発見信号は、前記周期の中の、所定の期間で送信される方法。
【請求項４】
基地局と通信を行う移動局において実施される方法であって、
前記基地局から、複数の周期のなかから選択された周期であって複数の１０ｍｓの無線フレームから成る前記周期を含む信号を受信し、
前記周期に基づいて、５ｍｓから１ｍｓの間の連続するサブフレームにおいて発見信号を受信し、
前記発見信号は、プライマリ同期信号と、セカンダリ同期信号と、リファレンス信号受信品質（ＲＳＲＱ）とリファレンス信号受信電力（ＲＳＲＰ）の少なくとも一つを前記移動局において測定するための信号とからなる方法。
【請求項５】
請求項４記載の方法であって、リファレンス信号受信品質（ＲＳＲＱ）とリファレンス信号受信電力（ＲＳＲＰ）の少なくとも一つを前記移動局において測定するための前記信号に基づいた測定結果を送信する方法。
【請求項６】
請求項４または５に記載の方法であって、前記発見信号は、前記周期の中の、所定の期間で送信される方法。
【請求項７】
移動局と通信を行う基地局であって、
前記移動局へ、複数の周期のなかから選択された周期であって複数の１０ｍｓの無線フレームから成る前記周期を含む信号を送信する手段と、
前記周期に基づいて、５ｍｓから１ｍｓの間の連続するサブフレームにおいて発見信号を送信する手段とを有し、
前記発見信号は、プライマリ同期信号と、セカンダリ同期信号と、リファレンス信号受信品質（ＲＳＲＱ）とリファレンス信号受信電力（ＲＳＲＰ）の少なくとも一つを前記移動局において測定するための信号とからなる基地局。
【請求項８】
基地局と通信を行う移動局であって、
前記基地局から、複数の周期のなかから選択された周期であって複数の１０ｍｓの無線フレームから成る前記周期を含む信号を受信する手段と、
前記周期に基づいて、５ｍｓから１ｍｓの間の連続するサブフレームにおいて発見信号を受信する手段とを有し、
前記発見信号は、プライマリ同期信号と、セカンダリ同期信号と、リファレンス信号受信品質（ＲＳＲＱ）とリファレンス信号受信電力（ＲＳＲＰ）の少なくとも一つを前記移動局において測定するための信号とからなる移動局。
【発明の詳細な説明】
【技術分野】
【０００１】
本発明は、移動通信デバイス及びネットワークに関し、限定はしないが、特に、第３世代パートナーシッププロジェクト（３ＧＰＰ）標準規格又はその均等物若しくは派生物に従って動作する移動通信デバイス及びネットワークに関する。本発明は、限定はしないが、特に、ＵＴＲＡＮのロングタームエボリューション（ＬＴＥ）（発展型ユニバーサル地上無線アクセスネットワーク（Ｅ−ＵＴＲＡＮ）と呼ばれる）に関連する。
【背景技術】
【０００２】
３ＧＰＰ  ＬＴＥネットワークでは、無線アクセスネットワーク（ＲＡＮ）の基地局（すなわち、発展型ＮｏｄｅＢ、ｅＮＢ）が、コアネットワーク（ＣＮ）と、基地局のカバレッジエリア内に位置するユーザ機器（ＵＥ）との間でデータ及びシグナリングを送信する。
【０００３】
通信ネットワークの進展に関しては、ピコｅＮＢ、フェムトセル、ホームｅＮＢ（ＨｅＮＢ）等の、低電力ノード（ＬＰＮ）によって運用される、いわゆる「スモール」セルの展開が進められており、そのセルは、より電力が高いマクロ基地局によって運用される既存のマクロセルより小さなカバレッジエリアを有する。幾つかの異なるセルタイプから成るネットワーク、例えば、マクロセルとフェムトセルとから成るネットワークは、ヘテロジニアスネットワーク、又はＨｅｔＮｅｔと呼ばれる。
【０００４】
屋内及び屋外のシナリオにおいて特にホットスポットを展開する場合に、３ＧＰＰ標準規格に準拠する通信システムが移動トラフィックの増加に対処できるようにするために、そのような通信システムを更に発展させるための最も重要な中心課題のうちの１つとして、最近になって、低電力ノードを用いるスモールセルを更に高度化することが必要であることが確認された。このようなスモールセル高度化への関心に伴って、スモールセル高度化のためのシナリオ及び要件が３ＧＰＰ技術報告書（３ＧＰＰ  ＴＲ３６．９３２）において調査及び記載されており、その内容は引用することにより本明細書の一部をなす。ＴＲ３６．９３２は、低電力ノードを、その送信電力がマクロノード及び基地局クラスの送信電力より低いノードを一般的に意味するものと規定する。例えば、上記で示されたように、ピコｅＮＢ及びフェムトＨｅＮＢはいずれも、低電力ノードとみなされる。
【０００５】
現在、マクロセルの平均的な地理的密度は、平方キロメートル当たり５つ〜７つのマクロセルである。しかしながら、市街地におけるスモールセルの数は平方キロメートル当たり４０個のスモールセルに達することが予想される。スモールセルの増加しつつある地理的密度は、ＨｅｔＮｅｔにおいて良好かつ効率的なハンドオーバ手順を達成する際に課題を提起する。例えば、スモールセルが密に展開されるシナリオでは、移動（「携帯」）電話又は他の同様の移動デバイス等の１つのユーザ機器（ＵＥ）がモビリティ管理（例えば、１つのセルから別のセルへの平滑な移行の管理）の目的で検出及び測定するべきスモールセルの数が、他のマクロセル又はより密でないＨｅｔＮｅｔシナリオの場合よりもはるかに大きくなり得る。
【０００６】
したがって、最新のリリース１１までの従来のＬＴＥシステムでは、プライマリ同期チャネル（Ｐ−ＳＣＨ）及びセカンダリ同期チャネル（Ｓ−ＳＣＨ）のみからなる同期チャネル（ＳＣＨ）の使用を用いて、ＵＥがｅＮＢを検索し、ｅＮＢを取得し、ｅＮＢと同期するのに役立てることができるが、ＳＣＨはそのような密集したセル展開シナリオに対処することができないことが一般に認識されている。特に、密集したスモールセル環境について検討される必要がある複数の他の課題が存在する。これらの課題は例えば、効率的な電力使用をどのように保証するか、スモールセルの探索／発見の速度、セルを識別する能力、及び／又はハンドオーバの目的で測定結果を取得する能力を含む。
【発明の概要】
【０００７】
したがって、本発明の好ましい実施形態は、上記の課題のうちの1つ又は複数を克服するか、少なくとも軽減する方法及び装置を提供することを目的とする。
【０００８】
本発明の一態様では、移動局と通信を行う基地局において実施される方法であって、前記移動局へ、周期を含む信号を送信し、前記周期に基づいて少なくとも一つの発見信号を送信し、前記少なくとも一つの発見信号は、プライマリ同期信号と、セカンダリ同期信号と、リファレンス信号受信品質（ＲＳＲＱ）とリファレンス信号受信電力（ＲＳＲＰ）の少なくとも一つを前記移動局において測定するための信号とからなる方法が提供される。
【０００９】
本発明の別の態様によれば、基地局と通信を行う移動局において実施される方法であって、前記基地局から、周期を含む信号を受信し、前記周期に基づいて少なくとも一つの発見信号を受信し、前記少なくとも一つの発見信号は、プライマリ同期信号と、セカンダリ同期信号と、リファレンス信号受信品質（ＲＳＲＱ）とリファレンス信号受信電力（ＲＳＲＰ）の少なくとも一つを前記移動局において測定するための信号とからなる方法が提供される。
【００１０】
本発明の更なる態様によれば、移動局と通信を行う基地局であって、前記移動局へ、周期を含む信号を送信する手段と、前記周期に基づいて少なくとも一つの発見信号を送信する手段とを有し、前記少なくとも一つの発見信号は、プライマリ同期信号と、セカンダリ同期信号と、リファレンス信号受信品質（ＲＳＲＱ）とリファレンス信号受信電力（ＲＳＲＰ）の少なくとも一つを前記移動局において測定するための信号とからなる基地局が得られる。
【００１１】
本発明の一態様によれば、基地局と通信を行う移動局であって、前記基地局から、周期を含む信号を受信する手段と、前記周期に基づいて少なくとも一つの発見信号を受信する手段とを有し、前記少なくとも一つの発見信号は、プライマリ同期信号と、セカンダリ同期信号と、リファレンス信号受信品質（ＲＳＲＱ）とリファレンス信号受信電力（ＲＳＲＰ）の少なくとも一つを前記移動局において測定するための信号とからなる移動局が提供される。
【００１２】
本明細書（特許請求の範囲を含む）において開示され、及び／又は図面において示される各特徴は、開示され、及び／又は図示される任意の他の特徴から独立して（又はそれらと組み合わせて）本発明に組み込まれてよい。詳細には、限定はしないが、特定の独立請求項に従属する請求項の特徴は、任意の組み合わせにおいて又は個々に、その独立請求項に取り込まれてよい。
【００１３】
次に、本発明の実施形態を、単に例として、添付の図面を参照しながら説明する。
【図面の簡単な説明】
【００１４】
【図１】通信システムの概略図である。
【図２】図１の通信システムの基地局の簡略化されたブロック図である。
【図３】図１の通信システムの移動通信デバイスの簡略化されたブロック図である。
【図４】図１の通信システムにおいて通信のために用いられる通常の無線フレームの図である。
【図５】図１の通信システムにおいて通信のために用いられる無線フレームの通常のサブフレームの一部の図である。
【図６】図１の通信システムのマクロセルにおいて同期信号をいかに送信することができるかの一例の図である。
【図７】図１の通信システムのスモールセルの無線フレームにおいて発見信号をどのように送信することができるかの一例の図である。
【図８】図１の通信システムのスモールセルにおいて発見信号をどのように送信することができるかの一例の図である。
【図９】図１の通信システムのスモールセルにおいて発見信号をどのように送信することができるかの別の例の図である。
【図１０】図１の通信システムのスモールセルにおいて発見信号をどのように送信することができるかの別の例の図である。
【図１１】図１の通信システムのスモールセルにおいて発見信号をどのように送信することができるかの別の例の図である。
【図１２】図１の通信システムのスモールセルにおいて発見信号をどのように送信することができるかの別の例の図である。
【図１３】図１の通信システムのスモールセルにおいて発見信号をどのように送信することができるかの別の例の図である。
【図１４】図１の通信システムのスモールセルにおいて発見信号をどのように送信することができるかの別の例の図である。
【図１５】図１の通信システムのスモールセルにおいて発見信号をどのように送信することができるかの別の例の図である。
【図１６】図１のスモールセル基地局が、セル発見の目的で、セル探索手順において移動通信デバイスによる発見のための発見信号を生成及び送信することができる１つの方法を簡略化された形式で示すフローチャートである。
【図１７】図１の移動通信デバイスが、セル発見の目的で、セル探索手順において発見信号を用いることができる１つの方法を簡略化された形式で示すフローチャートである。
【図１８】図１のスモールセル基地局が、セル発見の目的で、セル探索手順において移動通信デバイスによる発見のための発見信号を生成及び送信することができる別の方法を簡略化された形式で示すフローチャートである。
【図１９】図１の移動通信デバイスが、セル発見の目的で、セル探索手順において発見信号を用いることができる別の方法を簡略化された形式で示すフローチャートである。
【発明を実施するための形態】
【００１５】
概観
図１は、移動（セルラ）通信システム１を概略的に示しており、そのシステムでは、複数の移動通信デバイス３−１、３−２、３−３、３−４のうちのいずれかのユーザが、複数の基地局５、６−１、６−２、６−３及び６−４のうちの１つ又は複数を介して、他のユーザと通信することができる。図１に示されるシステムでは、図示される各基地局５、６は、マルチキャリア環境において動作することができる発展型ユニバーサル地上波無線アクセスネットワーク（Ｅ−ＵＴＲＡＮ）基地局である。
【００１６】
図１では、５をラベル付けされた基地局は、比較的大きな「マクロ」セル７を運用するいわゆる「マクロ」基地局から成る。図１に示す他の基地局６は各々、それぞれのスモールセル９−１、９−２、９−３、９−４を運用するいわゆるスモールセル基地局（場合によっては、いわゆる「ピコ」基地局、「遠隔無線ヘッド（ＲＲＨ）」、又はスモールセルを運用することが可能な他の同様のデバイス）から成る。
【００１７】
スモールセル９を提供するために用いられる電力は、マクロセル７のために用いられる電力に比べて低く、それゆえ、スモールセル９はマクロセル７に比べて小さい。図１に示されるように、この例では、各スモールセル９の地理的カバレッジはマクロセル７の地理的カバレッジ内に完全に入るが、当然ながらマクロセル７の地理的カバレッジと部分的に重なり合うことも可能である。
【００１８】
マクロ基地局５は、各無線フレームにおいて、移動通信デバイス３がマクロ基地局５を発見し、マクロ基地局５との同期を達成することを可能にする発見信号を提供するように構成される。特に、マクロ基地局５は、３ＧＰＰ  ＴＳ３６．２１１Ｖ１０．２．０において設計されているように、各無線フレーム内の（周波数及び時間双方における）所定の固定ロケーションにおいて、このため固定の周期で、プライマリ同期チャネル（Ｐ−ＳＣＨ）内のプライマリ同期信号（ＰＳＳ）と、セカンダリ同期チャネル（Ｐ−ＳＣＨ）内のセカンダリ同期信号（ＳＳＳ）とから成る発見信号を送信する。この例において、マクロ基地局５及びクラスタの各スモールセル基地局６−３、６−４は異なる別個の送信ポイントを表すにも関わらず、マクロ基地局５はまた、２つのスモールセル基地局６−３及び６−４と、このため、これらに対応するスモールセル９−３、９−４とから成る「クラスタ」の動作を制御するように構成され、これらスモールセルは、共通物理セルアイデンティティ（ＰＣＩ）と、グループセルアイデンティティ（このため、ＰＣＩ及びグループセルアイデンティティによって定義される共通セルＩＤ）とを共有する。
【００１９】
各スモールセル基地局６はまた、物理発見チャネル（ＰＤＣＨ）において、移動通信デバイス３がスモールセル基地局６を発見し、スモールセル基地局６との同期を達成することを可能にする発見信号を提供するように構成される。しかしながら、マクロ基地局６によって送信される発見信号と異なり、各スモールセル基地局６によって送信される発見信号は固定周期で送信されるのではなく、代わりに、スモールセル基地局、又はスモールセル基地局６を制御するマクロセル基地局によって構成及び再構成され得る柔軟性のある周期で送信される。この追加の柔軟性は、数個のサブフレームから、数百個以上の無線フレームまでの任意の非常に多岐にわたる周期（又は「繰り返し間隔」）が構成されることを可能にし、これによって、より低い電力を消費するようにスモールセル基地局を構成することができること、及び構成される周期に応じて発見信号によって生じるオーバヘッドを低減することができることを確保するのに役立てることができるので、特に有利である。さらに、比較的密集したスモールセル基地局６が存在する場合であっても、幾つかのそれぞれのＰＳＳ及びＳＳＳが異なるスモールセル基地局について同時に（又は互いに時間的に近接して）送信される機会が比較的少ない。
【００２０】
各スモールセル基地局６によって提供される発見信号は、有利には、マクロ基地局５によって用いられるＰＳＳ及びＳＳＳの構造を再利用し、これによって、レガシー移動通信デバイスとの少なくとも幾らかの後方互換性を提供する。しかしながら、本明細書において説明する例示的な実施形態では、各スモールセル基地局６によって提供される発見信号は、移動通信デバイス３が用いる必要がある探索ウィンドウの大きさを低減し、探索を実行することができる速度を改善し、セル探索手順の信頼性を改善し、時間及び／又は周波数追跡を強化し、（例えば、リファレンス信号受信品質（ＲＳＲＱ）／リファレンス信号受信電力（ＲＳＲＰ）の）測定を可能にし、及び／又は追加の情報（追加のセル識別／送信ポイント識別情報等）が発見信号によって表され、適切に強化された移動通信デバイス３によって発見時に取得されることを可能にするように更に強化される。
【００２１】
幾つかの例示的な実施形態では、発見信号は、各サブフレーム内に追加のＰＳＳ及び／又はＳＳＳタイプの信号を含めることによって時間領域において強化される。他の例示的な実施形態では、発見信号はＰＳＳ及び／又はＳＳＳタイプの信号が送信される周波数範囲を拡張することによって、周波数領域において強化される。さらに、様々な例示的な実施形態の時間領域発見信号強化及び周波数領域発見信号強化を組み合わせることによって、様々な強化のそれぞれの利点を共に組み合わせて、発見信号オーバヘッドがより大きくなるという犠牲を伴うが、より大きな累積効果がもたらされることが理解されよう。
【００２２】
したがって、（ＰＤＣＨにおける）新たな発見信号の導入は、移動通信デバイス３によってスモールセル基地局を探索し、スモールセル基地局を取得し、スモールセル基地局と同期することを容易にするのに役立つ。新たな発見信号が実装される方法に応じて、例えば従来のＰ−ＳＣＨ／Ｓ−ＳＣＨ構造を用いることと比較して、以下の追加の利点、すなわち、移動通信デバイス及び／又はスモールセル基地局における電力節減、スモールセルの比較的迅速な探索／発見、ハンドオーバの目的での測定結果の比較的迅速な取得、これによる迅速なハンドオーバ動作の容易化、及び／又はより多くの物理セルＩＤ及び／又は専用送信ポイントアイデンティティのサポート、のうちの１つ又は複数が生じる。
【００２３】
基地局
図２は、図１に示す基地局５、６の主要な構成要素を示すブロック図である。基地局５、６は、トランシーバ回路３１を備えるＥ−ＵＴＲＡＮマルチキャリア対応基地局から成り、このトランシーバ回路は、少なくとも１つのアンテナ３３を介して信号を移動通信デバイス３に対して送受信するように動作可能である。基地局５、６は、ネットワークインターフェース３５を介して（必要に応じて、スモールセル基地局（図示せず）の場合にはスモールセルゲートウェイ等を介してもよい）コアネットワークに対して、及び基地局（又はいわゆる「Ｘ２」）インターフェース３６を介して近傍の他の基地局５、６に対して、信号を送受信するように動作可能でもある。トランシーバ回路３１の動作は、メモリ３９に記憶されたソフトウェアに従ってコントローラ３７によって制御される。
【００２４】
このソフトウェアは、中でも、オペレーティングシステム４１と、通信制御モジュール４２と、同期モジュール４７と、セル／送信ポイント識別モジュール４９とを含む。
【００２５】
通信制御モジュール４２は、アンテナ３３を介する移動通信デバイス３との通信を制御し、それぞれネットワークインターフェース３５及びＸ２インターフェース３６を介するコアネットワーク及び他の基地局との通信を制御するように動作可能である。同期モジュール４７は、要求に応じた、無線フレーム２１０（図４を参照）内の適切なロケーションにおける発見信号の生成及び送信を管理し、スモールセル基地局６の場合、発見信号の周期の構成及び再構成、並びに必要に応じた、適切な情報の発見信号への符号化を管理する。セル／送信ポイント識別モジュール４９は、同期モジュール４７によって発見信号に符号化するための、セルＩＤ（セルグループＩＤ／物理セルＩＤ（ＰＣＩ））及び／又は（例えば、セルのクラスタ内の他のセルと同じセルＩＤを共有するスモールセルのための）送信ポイントＩＤ等のセル／送信ポイントのための識別情報を生成する。
【００２６】
上記の説明では、理解するのを容易にするために、基地局５は、幾つかの別個のモジュールを有するものとして説明される。これらのモジュールは、幾つかの応用形態の場合、例えば、本発明を実施するために既存のシステムが変更された場合には、このようにして設けられてもよいが、他の応用形態、例えば、最初から本発明の特徴を念頭に置いて設計されるシステムでは、これらのモジュールはオペレーティングシステム又はコード全体の中に組み込むことができるので、これらのモジュールは別個の実体として区別可能でない場合もある。
【００２７】
移動通信デバイス
図３は、図１に示される移動通信デバイス３の主要構成要素を示すブロック図である。各移動通信デバイス３は、マルチキャリア環境において動作することができる移動（又は「セル」電話）から成る。移動通信デバイス３は、少なくとも１つのアンテナ５３を介して、基地局５、６との間で信号を送受信するように動作可能であるトランシーバ回路５１を備える。トランシーバ回路５１の動作は、メモリ５９内に記憶されたソフトウェアに従ってコントローラ５７によって制御される。
【００２８】
ソフトウェアは、中でも、オペレーティングシステム６１と、通信制御モジュール６２と、同期モジュール６７と、セル／送信ポイント識別モジュール６９と、タイミング／周波数推定モジュール７１と、測定モジュール７３とを備える。
【００２９】
通信制御モジュール６２は、基地局５、６との通信を管理するように動作可能である。同期モジュール６７は、基地局５、６の無線フレーム／サブフレームタイミングとの移動通信デバイス３の同期を管理する。同期モジュール６７は、各無線フレーム２１０（図４を参照）内のＰＳＳ／ＳＳＳのロケーション等の発見信号構成の識別、及び必要に応じた発見信号からの適切な情報の復号も管理する。セル／送信ポイント識別モジュール６９は、同期モジュール６７によって発見信号に符号化された情報から、セルＩＤ（セルグループＩＤ／ＰＣＩ）及び／又は（例えば、セルのクラスタ内の他のセルと同じセルＩＤを共有するスモールセルのための）送信ポイントＩＤ等のセル／送信ポイントのための識別情報を求める。
【００３０】
タイミング／周波数推定モジュール７１は、スモールセル基地局６によって生成され送信された発見信号を用いて、タイミング及び／又は周波数推定を実行するように構成される。測定モジュール７３は、スモールセル基地局６によって生成され送信された発見信号に対し、測定（例えば、ＲＳＲＰ／ＲＳＲＱ測定）を行うように構成される。
【００３１】
上記の説明では、理解するのを容易にするために、通信デバイス３は、幾つかの別個のモジュールを有するものとして説明された。これらのモジュールは、幾つかの応用形態の場合、例えば、本発明を実施するために既存のシステムが変更された場合には、このようにして設けられてもよいが、他の応用形態、例えば、最初から本発明の特徴を念頭に置いて設計されるシステムでは、これらのモジュールはオペレーティングシステム又はコード全体の中に組み込むことができるので、これらのモジュールは別個の実体として区別可能でない場合もある。
【００３２】
発見信号構成
ここで、この例示的な実施形態において発見信号が構成される方法を、一例にすぎないが、図４〜図１５を参照しながら更に詳細に説明する。
【００３３】
図４は、移動（セルラ）通信システム１の基地局５、６及び移動通信デバイス３によって通信するために用いられるタイプの無線フレーム２１０の構造を示す。図４において見られるように、各基地局５は、無線フレーム２１０を用いて、関連する移動通信デバイスに制御情報及びデータを送信するように構成される。この例示的な実施形態では、各無線フレーム２１０は１０ｍｓ長であり、図４において見られるように、複数の直交周波数分割多重（ＯＦＤＭ）サブフレーム２３０から成る（この例示的な実施形態では、「０」〜「９」のインデックスを付された１０個の１ｍｓサブフレームが１つの無線フレーム２１０を構成する）。各サブフレームは一対のスロット２３２ａ及び２３２ｂから成る（この例示的な実施形態では、０．５ｍｓ長）。参照するために、スロット２３２は通常、時系列で（図４において左から右に）「０」から「１９」に及ぶインデックス番号によって参照され、各サブフレーム２３０の第１のスロット２３２ａは偶数番号を有し、第２のスロット２３２ｂは奇数番号を有する。各サブフレーム２３０の第１の（「偶数番号を付された」）スロットの一部は、制御情報を送信するために一般的に予約された、いわゆる「制御」領域２３１から成る。各サブフレーム２３０の第１の（「偶数番号を付された」）スロットの残りの部分、及び各サブフレーム２３０の第２の（「奇数番号を付された」）スロットは、例えば、物理ダウンリンク共有チャネル（ＰＤＳＣＨ）において、データを送信するために一般的に用いられる、いわゆる「データ」領域２３３から成る。
【００３４】
図５は、図４のＯＦＤＭサブフレーム２３０のうちの１つの一部のリソースグリッドを示す。図示されるリソースグリッドは、リソースブロック（ＲＢ）対３１０ａ、３１０ｂ（網掛け領域によって表される）に関するものであり、その対の各ＲＢ３１０ａ、３１０ｂは、例えば、第３世代パートナーシッププロジェクト（３ＧＰＰ）技術標準規格（ＴＳ）３６．２１１  Ｖ１０．２．０の６．２節において記述され、その標準規格の図６．２．２−１に示されるのに類似のリソースグリッドを有する。
【００３５】
図５において見られるように、各リソースブロック３１０ａ及び３１０ｂはサブフレーム２３０のそれぞれのスロット２３２ａ及び２３２ｂの一部である。各リソースブロック３１０ａ、３１０ｂは、周波数に関して１２サブキャリア周波数（行）、時間に関して７シンボル（列）によって定義される、１組のリソース要素３３５から成る。この実施形態では、制御領域２３１は、各サブフレーム２３０の第１のスロット２３２ａの最初の３つのＯＦＤＭシンボルのリソース要素３３５から成る。第１のスロット２３２ａの残りのリソース要素３３５と、第２のスロット２３２ｂのリソース要素３３５とはデータ領域３３３を形成する。
【００３６】
上記のように、各基地局５、６は、移動通信デバイス３が基地局を発見し、基地局５、６との同期を達成できるようにするために、対応する無線フレーム２１０内の（周波数及び時間に関して）特定の場所において同期信号を与えるように構成される。
【００３７】
各発見信号はＰＳＳを有し、ＰＳＳは、各シンボル、スロット及びサブフレームの受信及び送信を対応する基地局５、６の対応するシンボル、スロット及び／又はサブフレームタイミングと同期させるために移動通信デバイス３によって用いられ得る。さらに、ＰＳＳは、移動通信デバイス３が関連するセルについての他の情報、例えば、物理層セル識別子（ＰＣＩ）のようなセル識別子情報を識別するためにも移動通信デバイス３によって用いられる。各発見信号はＳＳＳを有し、ＳＳＳは、各無線フレーム２１０の受信及び送信と、対応する基地局５、６の関連するフレームタイミングとを同期させるために移動通信デバイス３によって用いられる。また、ＳＳＳは、移動通信デバイス３が関連するセルについての他の情報、例えば、基地局５、６に関する物理層セル識別子群のような、セル群識別子情報を識別するためにも移動通信デバイス３によって用いられる。
【００３８】
図６は、マクロ基地局５のマクロセル７に関してそれぞれ無線フレーム２３０内の発見信号がいかに構成されるかを示す。
【００３９】
図６において見られるように、マクロセル７の場合、マクロ基地局５は、第１のサブフレーム２３０（サブフレーム＃０）内の第１の（偶数番号を付された）スロット２３２ａの最後の２シンボルにおいて、及び第６のサブフレーム２３０（サブフレーム＃５）内の第１の（偶数番号を付された）スロット２３２ａの最後の２シンボルにおいて、常に同期信号（ＰＳＳ／ＳＳＳ）を与える。ＰＳＳは第１のサブフレーム及び第６のサブフレームの第１のスロット２３２ａの最後のシンボルにおいて送信され、一方、ＳＳＳは第１のサブフレーム及び第６のサブフレーム２３０の第１のスロット２３２ａの最後から２番目のシンボル（すなわち、スロット＃０及びスロット＃１０の最後のシンボル）において送信される。
【００４０】
ＰＳＳ及びＳＳＳはそれぞれ、それらの同期信号がそれぞれ位置するシンボルに属する中央の６２サブキャリアを割り当てられる。同期信号の上下にある５リソース要素は送信のために使用されず、したがって、ＰＳＳ及びＳＳＳはそれぞれ、中央の７２個のサブキャリア（６つのリソースブロック）を割り当てられる。したがって、ＰＳＳ及びＳＳＳ送信はそれぞれ６つのリソースブロックを使用し（１０個のリソース要素は使用されていない）、マクロセル７によってカバーされる周波数帯内のリソースブロックのインデックス（リソースブロック番号）は常に同じである。
【００４１】
ＰＳＳのために使用される系列ｄ（ｎ）は、以下のような周波数領域Ｚａｄｏｆｆ−Ｃｈｕ系列から生成される。
【数１】
0006460356.tif 000002
ただし、Ｚａｄｏｆｆ−Ｃｈｕルート系列インデックスｕはＰＣＩによって決まり、インデックス２５、２９及び３４のうちの１つである。
【００４２】
ＳＳＳのために用いられる系列ｄ（０）、．．．、ｄ（６１）は、２つの３１長２値系列を交互に連結したものを有する。連結された系列はＰＳＳによって与えられるスクランブル用系列を用いてスクランブルされる。
【００４３】
二次同期信号を定義する２つの３１長の組み合わせは、以下の式に従って、サブフレーム＃０とサブフレーム＃５とでは異なる。
【数２】
0006460356.tif 000003
ただし、０≦ｎ≦３０である。インデックスｍ０及びｍ１は物理層セル識別子群から導出される。
【００４４】
したがって、無線フレーム２１０内の２つのＰＳＳ送信は同一である。しかしながら、各無線フレーム２１０内の２つのＳＳＳ送信（ＳＳ１及びＳＳ２と呼ばれる）は異なる系列を使用し、移動通信デバイス３が、第１の送信と第２の送信とを区別できるようにし、それにより、移動通信デバイス３がフレーム同期を達成できるようにする。
【００４５】
当業者には理解されるように、通常のマクロセル７に関してＰＳＳ及びＳＳＳの実施態様に関する更なる詳細は、ＴＳ３６．２１１の６．１１．１節及び６．１１．２節においてそれぞれ確認することができる。
【００４６】
しかしながら、図７を参照すると、この例示的な実施形態の各スモールセル基地局６は、依然として、マクロセルと同じ方式で符号化された同期信号（ＰＳＳ／ＳＳＳ）から成る発見信号を提供するが、スモールセル基地局６が発見信号を送信する周期は、各スモールセル基地局６によって個々に構成可能である。
【００４７】
図７に示す例では、周期「ＴＤＳ」は、適切な数の無線フレーム（例えば、５０、１００、２００、１０００、２０００又は任意の他の適切な数）に設定される。したがって、図７に示すように、第１の発見信号が無線フレーム番号「ｎ」において送信されるとき、次の発見信号は、無線フレーム番号「ｎ＋ＴＤＳ」において送信され、次は無線フレーム番号「ｎ＋２．ＴＤＳ」において送信され、以下同様である。より詳細には、発見信号は、無線フレーム番号「ｎ＋ｒ．ＴＤＳ」において送信される。ここで、ｒは、無線フレーム番号「ｎ」についてゼロで開始し、発見信号が送信される後続の無線フレームごとに１ずつ増分する整数である。図７は、無線フレーム数の観点で定義される周期に基づく構成を示しているが、サブフレーム数（例えば、ＴＳＦＤＳ）の観点で定義される周期に基づく構成も可能である（例えば、ここで、第１の発見信号はサブフレーム番号「ｎ」において送信され、次の発見信号はサブフレーム番号「ｎ＋ＴＳＦＤＳ」において送信され、次はサブフレーム番号「ｎ＋２．ＴＳＦＤＳ」において送信され、以下同様である）ことが理解されよう。
【００４８】
図８は、スモールセル基地局６によって送信される例示的な無線フレームを示す。この無線フレームにおいて、発見信号は時間領域において強化されている。図８の例において、第１のサブフレーム（＃０）の第１の（偶数）スロットにおいて送信されるレガシーＰＳＳ（ＰＳＳ１）及びＳＳＳ（ＳＳＳ１）、並びに第６のサブフレーム（＃５）の第１のスロットにおいて送信されるレガシーＰＳＳ（ＰＳＳ１）及びＳＳＳ（ＳＳＳ２）に加えて、発見信号は、発見信号が提供される１０ｍｓの無線フレームのうちの５ｍｓの各半分において送信され、その半分の全体にわたって分散される、１組の４つの追加のＰＳＳ（ＰＳＳ２，．．．，ＰＳＳ５）を有する。
【００４９】
図８の例において、追加のＰＳＳ（ＰＳＳ２，．．．，ＰＳＳ５）が連続サブフレームにおいて規則的な間隔で送信される。特に、図８の例において、追加のＰＳＳ（ＰＳＳ２，．．．，ＰＳＳ５）がそれぞれ、サブフレーム＃１〜＃４のそれぞれのサブフレームの第１の（偶数の）スロットの最後のシンボルにおいて送信され、その後、サブフレーム＃６〜＃９のそれぞれのサブフレームの第１の（偶数の）スロットの最後のシンボルにおいて繰り返されることが示されている。しかしながら、新たなＰＳＳは他のシンボルにおいて送信され得ることが理解されよう。
【００５０】
これは、移動通信デバイス３に事前にタイミング情報が提供されていないときに、移動通信デバイス３のための探索ウィンドウの大きさを５ｍｓから１ｍｓに低減するのに役立つという利点を有し、また、発見の目的で配分される幾つかの追加のリソース（リソース要素）の形態でのシグナリングオーバヘッドの犠牲を伴うが、信号品質を改善する。
【００５１】
図８の例において、各追加のＰＳＳ（ＰＳＳ２，．．．，ＰＳＳ５）は、サブフレーム＃０及び＃５において送信されるレガシーＰＳＳ（ＰＳＳ１）から自身を区別するためのそれぞれのＺａｄｏｆｆ−Ｃｈｕルートシーケンスインデックスを有する。しかしながら、区別が必要とされない場合、新たなＰＳＳのうちの任意のもの又は全てを、単に既存のＰＳＳの繰り返しとすることができることが理解されよう。
【００５２】
図９及び図１０はそれぞれ、スモールセル基地局６によって送信される別の例示的な無線フレームを示す。この無線フレームにおいて、発見信号は時間領域において強化されている。図９及び図１０の例において、第１のサブフレーム（＃０）の第１の（偶数）スロットにおいて送信されるレガシーＰＳＳ（ＰＳＳ１）及びＳＳＳ（ＳＳＳ１）、並びに第６のサブフレーム（＃５）の第１のスロットにおいて送信されるレガシーＰＳＳ（ＰＳＳ１）及びＳＳＳ（ＳＳＳ２）に加えて、発見信号は、第１のサブフレーム及び第６のサブフレーム各々のそれぞれの第２の（奇数）スロットにおいて、すなわち、同期信号の対応するレガシー対から０．５ｍｓ離れて、同期信号の第２の対を有する。
【００５３】
この例示的な実施形態（及び他の例示的な実施形態）においてレガシー同期信号及び新たな同期信号が非常に近接していることによって、有利には、セル固有リファレンス信号（ＣＲＳ）の使用を要することなく、発見信号を用いて周波数推定を実行することが可能になり、これによって現行のシステムと比較して効率が改善する。
【００５４】
図９の例において、第１のサブフレーム及び第６のサブフレームの各々における同期信号の第２の対は、ＰＳＳの対（ＰＳＳ２及びＰＳＳ３）から成るのに対し、図１０の例では、第１のサブフレーム及び第６のサブフレームの各々における同期信号の第２の対は、追加のＰＳＳ（ＰＳＳ２）が続く追加のＳＳＳ（ＳＳＳ３及びＳＳＳ４）から成る。
【００５５】
図９及び図１０の例に関して、各々が、移動通信デバイス３のための探索ウィンドウの大きさを低減するのに役立つという利点を有し、また、発見の目的で配分される幾つかの追加のリソース（リソース要素）の形態でのシグナリングオーバヘッドの犠牲を伴うが、信号品質を改善する。
【００５６】
図９及び図１０の例では、各追加のＰＳＳ（ＰＳＳ２／ＰＳＳ３）及び／又はＳＳＳ（ＳＳＳ３，ＳＳＳ４）は、そのレガシー対応部分から自身を区別するためのそれぞれのＺａｄｏｆｆ−Ｃｈｕルートシーケンスインデックスを有する。しかしながら、区別が必要とされない場合、新たな同期信号のうちの任意のもの又は全てを、単に対応するレガシー同期信号の繰り返しとすることができることが理解されよう。
【００５７】
上記で説明したように、レガシー同期信号及び新たな同期信号が非常に近接していることによって、有利には、セル固有リファレンス信号（ＣＲＳ）の使用を要することなく、発見信号を用いて周波数推定を実行することが可能になり、これによって現行のシステムと比較して効率が改善する。
【００５８】
図１１は、スモールセル基地局によって送信される別の例示的な無線フレームを示す。この無線フレームにおいて、発見信号は時間領域において強化されている。図１１の例において、第１のサブフレーム（＃０）の第１の（偶数）スロットにおいて送信されるレガシーＰＳＳ（ＰＳＳ１）及びＳＳＳ（ＳＳＳ１）、並びに第６のサブフレーム（＃５）の第１のスロットにおいて送信されるレガシーＰＳＳ（ＰＳＳ１）及びＳＳＳ（ＳＳＳ２）に加えて、発見信号は、第１のサブフレーム及び第６のサブフレーム各々のそれぞれの第２の（奇数）スロットにおいて、それぞれのレガシーＰＳＳ（ＰＳＳ１）に続く連続シンボルにわたって送信される１組の４つの追加ＰＳＳ（ＰＳＳ２，．．．，ＰＳＳ５）を有する。
【００５９】
この発見信号フォーマットは、移動通信デバイス３がセル探索プロセスにおいてタイミング基準を迅速に検出するのに役立つという点で特に有利であり、前の例と同様に、時間及び周波数推定性能並びに測定品質を改善するのに役立つ。
【００６０】
図１１の例では、各追加のＰＳＳ（ＰＳＳ２，．．．，ＰＳＳ５）は、そのレガシー対応部分から自身を区別するためのそれぞれのＺａｄｏｆｆ−Ｃｈｕルートシーケンスインデックスを有する。しかしながら、区別が必要とされない場合、新たな同期信号のうちの任意のもの又は全てを、単に対応するレガシー同期信号の繰り返しとすることができることが理解されよう。各ＳＳＳ（ＳＳＳ１及びＳＳＳ２）が同じＺａｄｏｆｆ−Ｃｈｕルートシーケンスインデックスを用いることもできるし、異なるＺａｄｏｆｆ−Ｃｈｕルートシーケンスインデックスを用いることもできることが更に理解されよう。
【００６１】
図１２は、スモールセル基地局６によって送信される別の例示的な無線フレームを示す。この無線フレームにおいて、発見信号は時間領域において強化されている。図１２の例において、第１のサブフレーム（＃０）の第１の（偶数）スロットにおいて送信されるレガシーＰＳＳ（ＰＳＳ１）及びＳＳＳ（ＳＳＳ１）に加えて、発見信号は、第１のサブフレームのそれぞれの第２の（奇数）スロットにおいて、すなわち、そのサブフレームにおける同期信号の対応するレガシー対から０．５ｍｓ離れて、一対の信号から成る第２の発見信号部分を有する。
【００６２】
図１２の例における信号の第２の組は、直交コード又はＺａｄｏｆｆ−Ｃｈｕシーケンスの周期的にシフトされたバージョン等のマスキングコードを用いて追加のＰＳＳ／ＳＳＳを（例えば、図９又は図１０を参照して第１のサブフレームについて説明したように）ラッピング／多重化し、例えば、レガシーＰＳＳ／ＳＳＳに符号化された同じセルＩＤを有するスモールセルのクラスタ内の、スモールセルのための一意の識別子（例えば、「スモールセルＩＤ」又は「送信ポイントＩＤ」）を符号化することによって形成される。
【００６３】
レガシー移動通信デバイスであってもセルＩＤを検出することはできるが、変更された移動通信デバイス３は、レガシーＰＳＳ／ＳＳＳを第２の発見信号部分と合わせて用いることによって、セルＩＤを検出し、かつ、第２の発見信号部分に基づいてクラスタ内の各スモールセル／送信ポイントＩＤを導出することもできる。
【００６４】
第２の発見信号部分を用いて、例えば、第２の発見信号部分内の適切な識別情報と合わせてセル休止（すなわち、負荷ゼロ）／セル負荷情報を符号化することによって、休止／セル負荷等の、検出されたセルのステータスを特定することもできることが理解されよう。
【００６５】
第２の発見信号部分の２つの信号は、同じとすることもできるし、異なることもできることが理解されよう。
【００６６】
図１３は、スモールセル基地局６によって送信される別の例示的な無線フレームを示す。この無線フレームにおいて、発見信号は時間領域において強化されている。図１３の例において、第１のサブフレーム（＃０）の第１の（偶数）スロットにおいて送信されるレガシーＰＳＳ（ＰＳＳ１）及びＳＳＳ（ＳＳＳ１）、並びに第６のサブフレーム（＃５）の第１のスロットにおいて送信されるレガシーＰＳＳ（ＰＳＳ１）及びＳＳＳ（ＳＳＳ２）に加えて、発見信号は、第１のサブフレームの第２の（奇数）スロットにおいて、レガシーＰＳＳ（ＰＳＳ１）に続く連続シンボルにわたって送信される１組の４つの追加信号から成る第２の発見信号部分を有する。
【００６７】
図１３の例における信号の第２の組は、直交コード又はＺａｄｏｆｆ−Ｃｈｕシーケンスの周期的にシフトされたバージョン等のマスキングコードを用いて追加のＰＳＳ／ＳＳＳを（例えば、図９又は図１０を参照して第１のサブフレームについて説明したように）ラッピング／多重化し、例えば、レガシーＰＳＳ／ＳＳＳに符号化された同じセルＩＤを有するスモールセルのクラスタ内の、スモールセルのための一意の識別子（例えば、「スモールセルＩＤ」又は「送信ポイントＩＤ」）を符号化することによって形成される。
【００６８】
前の例のように、レガシー移動通信デバイスであってもセルＩＤを検出することはできるが、変更された移動通信デバイス３は、レガシーＰＳＳ／ＳＳＳを第２の発見信号部分と合わせて用いることによって、セルＩＤを検出し、かつ、第２の発見信号部分に基づいてクラスタ内の各スモールセル／送信ポイントＩＤを導出することもできる。
【００６９】
発見信号が時間領域において強化される上記の例において、強化によって、有利には、高速なセル発見に加えて、時間推定、周波数推定及びＲＳＲＰ／ＲＳＲＱ測定を実行することが可能になることが理解されよう。
【００７０】
時間領域における発見信号が比較的非常に近接していることに加えて、セル固有リファレンス信号（ＣＲＳ）と比較して、周波数領域において比較的多数のリファレンス（同期）信号／シンボルを有することによって、ＣＲＳを用いる代わりに発見信号を用いて改善されたタイミング推定を実行することが可能になる。タイミング推定は、周波数領域において、送信信号を受信機における送信信号の複製と相関させ、時間領域における複数のＯＦＤＭシンボルにわたって相関エネルギを累積し、タイミング仮説の所定のウィンドウ内で正しいタイミング候補間の累積された相関器出力の最大ピークを検出することによって実行される。
【００７１】
特に、周波数推定は、互いに離れている（しかし、互いに比較的非常に近接している、例えば２〜３シンボルから数シンボル離れている）１対のリファレンス信号に基づいて実行されるので、上記の例示的な発見信号において同期信号が非常に近接していることによって、セル固有リファレンス信号（ＣＲＳ）等の他の参照信号を用いる必要なく、発見信号を形成する１対の信号（例えば、ＰＳＳ、ＳＳＳ、及び／又は発見信号の第２の部分を形成する信号のうちの１つ又は複数）に基づいて、周波数推定を実行することが可能になる。
【００７２】
例えば、図１０において、１つのサブフレームの第１のＳＳＳ及び第２のＳＳＳを用いて１組の周波数推定値を計算することができ、同じサブフレーム内の第１のＰＳＳ及び第２のＰＳＳを用いて別の１組の周波数推定値を計算することができる。次に、これらの推定値を組み合わせて、より信頼性のある推定値を提供することができ、その目的でＣＲＳを用いる必要が回避される（そして潜在的にはＣＲＳを用いる推定値が改善される）。
【００７３】
測定に関して、時間領域における発見信号内の追加のリファレンス信号（同期信号／他の専用信号を含む）によって、そのような測定がより効率的にかつより高い信頼性で実行されることが可能になる。
【００７４】
図１４及び図１５はそれぞれ、スモールセル基地局６によって送信される例示的な無線フレームを示す。この無線フレームにおいて、発見信号は周波数領域において強化されている。
【００７５】
図１４の例において、プライマリ同期信号（ＰＳＳ）は、このＰＳＳを、６つのリソースブロックではなく１２個のリソースブロックにわたって送信することによって強化される。この場合の中央の６つのリソースブロックは、レガシーＰＳＳ（例えばセルＩＤを特定するのに用いる）に対応する。
【００７６】
図１５の例では、プライマリ同期信号（ＰＳＳ）及びセカンダリ同期信号（ＳＳＳ）の双方が、各々を６つのリソースブロックではなく１２個のリソースブロックにわたって送信することによって強化される。図１４の例と同様に、中央の６つのリソースブロックは、それぞれのレガシーＳＳＳ及びレガシーＰＳＳ（例えばセルＩＤを特定するのに用いる）に対応する。
【００７７】
発見信号が周波数領域において強化される全ての上記の例において、強化によって、有利には、高速セル発見に加えて、時間推定及びＲＳＲＰ／ＲＳＲＱ測定が実行されることが可能になることが理解されよう。
【００７８】
特に、時間推定について、強化された発見信号において、周波数領域において比較的多数のリファレンス（同期）信号／シンボルを有することによって、セル固有リファレンス信号（ＣＲＳ）を用いる代わりに、発見信号を用いて時間推定を実行することが可能になる。
【００７９】
測定に関して、周波数領域における発見信号内の追加のリファレンス信号（同期信号／他の専用信号を含む）によって、そのような測定がより効率的にかつより高い信頼性で実行されることが可能になる。
【００８０】
図１６は、上記の例示的な実施形態において、スモールセル基地局６が、セル発見の目的で、セル探索手順において移動通信デバイス３による発見のための発見信号を生成及び送信することができる１つの方法を示すフローチャートを示す。
【００８１】
図１７は、上記の例示的な実施形態において、移動通信デバイス３が、セル発見の目的で、セル探索手順において発見信号を用いることができる１つの方法を示すフローチャートを示す。
【００８２】
図１８は、スモールセル基地局６が、セル発見の目的で、セル探索手順において移動通信デバイス３による発見のための発見信号を生成及び送信することができる、別のより詳細な方法を示すフローチャートを示す。このフローチャートは特に、セルＩＤ及びスモールセルＩＤ／ＴＰ  ＩＤが別個に符号化される図１２及び図１３の例に関する。
【００８３】
図１９は、移動通信デバイス３が、セル発見の目的で、セル探索手順において発見信号を用いることができる、別のより詳細な方法を示すフローチャートを示す。このフローチャートは特に、セルＩＤ及びスモールセルＩＤ／ＴＰ  ＩＤが別個に符号化される図１２及び図１３の例に関する。
【００８４】
変更、代替及び更なる情報
詳細な例示的な実施形態を上記で説明した。これらの実施形態では、提案される発見信号の独自の構造を説明し、特に、１つの無線フレームの提案される発見信号は、構成可能な周期、例えば、２００個、５００個又は１０００個のサブフレーム／無線フレームで繰返され得る。当業者であれば理解するように、上記の実施形態及び変形形態において具現化される本発明から依然として利益を得ながら、上記の実施形態及び変形形態に対し複数の変更及び代替を行うことができる。
【００８５】
現行の通信システムにおいて追加のシグナリングを必要とすることなく、周波数及び／又はタイミングの推定及び測定を実行する能力の観点において更なる利点を提供する比較的複雑な発見信号を説明したが、そのような追加の利点が必要とされない場合、構成された周期において、ＰＳＳ及びＳＳＳの１つの対のみから成る（例えば、第６のサブフレームにおいて通常送信されるＰＣＣ／ＳＳＳ２を含まない）発見信号を送信することによって、追加のシグナリングオーバヘッドを大幅に低減することができる。これは、マクロセルとの或るレベルの同期が利用可能である場合（例えば、マクロセルがプライマリセル（Ｐセル）であり、スモールセルが関連するセカンダリセル（Ｓセル）であり、このためマクロセルがスモールセルの送信タイミングを制御／同期することができる場合）に特に有利である。
【００８６】
各例において、発見信号は、現在のセルＩＤ、又は、同じセルＩＤを有するスモールセルクラスタ内の異なるスモールセルを区別するのに用いられ得る専用送信ポイントＩＤ（「ＴＰ  ＩＤ」）又は「スモールセルＩＤ」等の異なるＩＤを運ぶことができる。例えば、クラスタ内の全てのスモールセルについて同じセルＩＤの場合、マクロセルは、クラスタ内の各スモールセルに異なるＩＤを配分することができ、移動通信デバイスは、これを検出し、マクロセルに報告することができ、次にマクロセルは、報告されたＩＤに基づいて、移動通信デバイスがいずれのスモールセルを検出したかを特定することができる。
【００８７】
したがって、提案される構造は有利には、発見信号の新たなコードシーケンス（第１の部分及び第２の部分）を導入することによって、現行のシステムの５０４個よりも多くの物理セルＩＤを提供することができる。
【００８８】
上記の例において、発見信号は中央の６つ又は１２個のＲＢ内に位置するので、提案される構造は、システム帯域幅の大きさに依拠しないことが理解されよう。提案される構造は有利には、中央の６つのＲＢ内に既存のＰＳＳ及びＳＳＳを維持することによって、レガシー移動通信デバイスとの後方互換性を提供する。
【００８９】
上記で説明したスモールセル発見信号の例では、レガシーＰＳＳ／ＳＳＳ構成が保持されたが、必ずしもそうである必要はないことが理解されよう。任意の適切なＰＳＳ／ＳＳＳ構成を有する専用スモールセルＰＳＳ／ＳＳＳ構成、例えば、ＳＳＳ及びＰＳＳが逆転した構成が定義され得る。
【００９０】
特に、上記で説明したような図１２及び図１３の例において、ＰＣＩ／セルグループＩＤを用いてスモールセル「クラスタＩＤ」（例えば、クラスタ内の複数のセルによって共有されるセルＩＤと等価である）を表すことができ、このため、既存のＰＳＳ／ＳＳＳにおいて送信することができる。次に、クラスタ内の専用送信ポイントＩＤ（「ＴＰ  ＩＤ」）又は「スモールセルＩＤ」を、発見信号の第２の部分を用いて送信することができる。したがって、移動通信デバイスは、まずレガシーＰＳＳ／ＳＳＳ信号のみを用いてクラスタＩＤを検出することができ、次に、発見信号の第２の部分を用いてクラスタ内のＴＰ  ＩＤを検出することができる。代替的に又は付加的に、全ての送信された発見信号を用いて１つのステップにおいて移動通信デバイスが検出することができる、単一の「グローバルＴＰ  ＩＤ」又は「グローバルセルＩＤ」を送信することができる。これは、例えば、別個のセルＩＤ／クラスタＩＤ及びＴＰＩＤ／スモールセルＩＤを用いることよりも高速である場合があるが、探索される可能性があるＩＤがより多く存在するので、探索複雑度が増大する場合がある。
【００９１】
一部又は全ての発見信号を、レガシーＰＳＳ／ＳＳＳの搬送波周波数と異なる搬送波周波数、例えばマクロセルと同じ搬送波において送信することができる。これによって、マクロセルにキャンプオンした移動通信デバイスが、周波数間探索及び測定の代わりに周波数内探索及び測定を用いてスモールセルセルを探索することが可能になり、このため、移動通信デバイスの複雑度が低減する。
【００９２】
上記で説明されるように、提案される発見信号は、セル探索のためのみに用いられる必要はなく、時間／周波数推定及びＲＳＲＰ／ＲＳＲＱ測定等の他の目的にも用いられ、このため、移動通信デバイスの複雑度及びダウンリンクリファレンス信号送信オーバヘッドが低減される。
【００９３】
発見信号は、例えば、セル休止（すなわち、負荷ゼロ）／セル負荷情報を第２の発見信号部分内の適切な識別情報とともに符号化することによって、休止／セル負荷等の検出されたセルのステータス情報を搬送することができることが理解されよう。
【００９４】
同様のシグナリング構造は、協調マルチポイント（ＣｏＭＰ）送信／受信シナリオにおいて他のデバイス又はＴＰ（送信ポイント）／ＲＰ（受信ポイント）を特定するために、デバイス間（Ｄ２Ｄ）及びマシンタイプ通信（ＭＴＣ）にも適用することができる。
【００９５】
図９、図１０及び図１２における同期信号の分離は全体スロットである必要はないが、数個のシンボルから幾つかのシンボルにわたる任意の適切な数のシンボルから成ってもよいことが理解されよう。
【００９６】
通信システム１を、マクロ基地局又はスモールセル基地局として動作する基地局５に関して説明したが、同じ原理は、フェムト基地局として動作する基地局、基地局機能の要素を提供する中継ノード／ＵＥ中継器、又は他のそのような通信ノードに適用され得ることが理解されよう。
【００９７】
上記の例示的な実施形態では、移動電話ベースの通信システムを説明した。当業者であれば理解するように、本出願において説明されるシグナリング技法は、他の通信システムにおいて用いられ得る。他の通信ノード又はデバイスは、例えば、携帯情報端末、ラップトップコンピュータ、ウェブブラウザ等のようなユーザデバイスを含んでよい。当業者であれば理解するように、上述された中継システムが移動通信デバイスのために用いられることは必須ではない。システムを用いて、基地局のカバレッジを、移動通信デバイスとともに、又はその代わりに、１つ又は複数の固定のコンピューティングデバイスを有するネットワークにおいて拡張することができる。
【００９８】
上記の例示的な実施形態では、基地局５、６及び移動通信デバイス３は、それぞれトランシーバ回路を備える。通常、この回路は専用ハードウェア回路によって形成される。しかしながら、幾つかの例示的な実施形態では、トランシーバ回路の一部を、対応するコントローラによって実行されるソフトウェアとして実装することができる。
【００９９】
上記の例示的な実施形態では、複数のソフトウェアモジュールを説明した。当業者であれば理解するように、それらのソフトウェアモジュールは、コンパイル済みの形式又は未コンパイルの形式において与えられてよく、コンピューターネットワークを介して信号として、又は記録媒体において基地局又は中継局に供給されてよい。さらに、このソフトウェアの一部又は全部によって実行される機能は、１つ又は複数の専用のハードウェア回路を用いて実行されてもよい。
【０１００】
種々の他の変更は当業者には明らかであり、ここでは、これ以上詳しくは説明しない。
【０１０１】
この出願は、２０１３年５月７日に出願された英国出願第１３０８１９６．３号を基礎とする優先権を主張し、その開示の全てをここに取り込む。
【図１】
0006460356.tif 000004
【図２】
0006460356.tif 000005
【図３】
0006460356.tif 000006
【図４】
0006460356.tif 000007
【図５】
0006460356.tif 000008
【図６】
0006460356.tif 000009
【図７】
0006460356.tif 000010
【図８】
0006460356.tif 000011
【図９】
0006460356.tif 000012
【図１０】
0006460356.tif 000013
【図１１】
0006460356.tif 000014
【図１２】
0006460356.tif 000015
【図１３】
0006460356.tif 000016
【図１４】
0006460356.tif 000017
【図１５】
0006460356.tif 000018
【図１６】
0006460356.tif 000019
【図１７】
0006460356.tif 000020
【図１８】
0006460356.tif 000021
【図１９】
0006460356.tif 000022